(57)【要約】【課題】複数のアスペクト比で画像を表示する機能を備えた画像表示装置において、空き領域のサイズに応じて適切なサイズの画像を選択し、それを空き領域に表示する画像表示装置を提供することを目的とする。【解決手段】空き領域検出部９は、画像表示部５の画面領域のうち、画像表示部５に表示される第１の画像の領域以外の領域を空き領域として検出する。背景画像選択部１０は、異なるサイズの複数の画像を記憶した背景画像記憶部４から空き領域検出部９が検出した空き領域のサイズに最も近いサイズの画像を第２の画像として選択する。背景画像挿入部１１は、第２の画像を空き領域検出部９が検出した空き領域に挿入する。【選択図】図１
2009100264.tif 000002
【特許請求の範囲】
【請求項１】
複数のアスペクト比で画像を表示可能な画像表示装置において、
第１の画像を表示する画像表示部と、
この画像表示部の画面領域のうち、前記画像表示部に表示される第１の画像の領域以外の領域を空き領域として検出する空き領域検出部と、
異なるサイズの複数の画像を記憶する背景画像記憶部と、
この背景画像記憶部に記憶された複数の画像から画像を選択する背景画像選択部と、
この背景画像選択部が選択した画像を前記空き領域検出部が検出した空き領域に挿入する背景画像挿入部とを備え、
前記背景画像選択部は、前記空き領域検出部が検出した空き領域のサイズに最も近いサイズの画像を第２の画像として選択し、前記背景画像挿入部は、前記背景画像選択部が選択した第２の画像を前記空き領域検出部が検出した空き領域に挿入することを特徴とする画像表示装置。
【請求項２】
前記画像表示部に表示する第１の画像のサイズを変換する画像サイズ変換部をさらに備えることを特徴とする請求項１に記載の画像表示装置。
【請求項３】
前記背景画像挿入部は、前記背景画像選択部が選択した第２の画像のサイズを拡大または縮小して前記空き領域検出部が検出した空き領域のサイズに合わせることを特徴とする請求項１に記載の画像表示装置。
【請求項４】
前記空き領域検出部は、前記画像表示部に表示される第１の画像の領域以外の領域と、前記画像表示部に表示される第１の画像のピラーボックス領域とを空き領域として検出することを特徴とする請求項１に記載の画像表示装置。
【発明の詳細な説明】
【技術分野】
【０００１】
本発明は、複数の画像を表示可能な画像表示装置に関するものである。
【背景技術】
【０００２】
画像を表示するディスプレイはワイド化が進んでおり、従来主流であったアスペクト比４：３のディスプレイに代わって、アスペクト比１６：９などのワイドディスプレイが普及している。さらに近年では、スペースが限られた自動車の車室内でよりワイドな画像を楽しむために、アスペクト比３２：９のディスプレイなど、よりワイドなディスプレイも開発されている。
【０００３】
このようなワイドなディスプレイでは、画面とアスペクト比が異なる画像信号を表示する際に、画面の左右に空き領域が生じる場合がある。この空き領域を有効に活用する手法として、空き領域に画像信号とは別の画像信号を表示する技術が公開されている（例えば、特許文献１を参照）。
【特許文献１】特開平６−１８９２３１号公報
【発明の開示】
【発明が解決しようとする課題】
【０００４】
しかしながら、複数のアスペクト比で画像を表示する機能を備えた画像表示装置においては、空き領域の大きさが表示画像のアスペクト比ごとに異なる。そのため、所定のサイズを有する人物やキャラクタ、また、風景などの複雑な画像を空き領域に挿入したとき、ユーザに違和感を与えた。例えば、所定のキャラクタ画像を空き領域に表示する場合、空き領域のサイズがキャラクタ画像のサイズよりも小さいとキャラクタが切れた状態で表示されてしまう。一方、空き領域のサイズがキャラクタ画像のサイズよりも大きいと、空き領域をキャラクタ画像で埋めきれず、空き領域が目立ってしまう。
【０００５】
本発明の目的は、ユーザに与える違和感を軽減し、空き領域に適切なサイズの画像を表示する画像表示装置を提供することにある。
【課題を解決するための手段】
【０００６】
本発明の一局面に係る画像表示装置は、複数のアスペクト比で画像を表示可能な画像表示装置において、第１の画像を表示する画像表示部と、画像表示部の画面領域のうち、画像表示部に表示される第１の画像の領域以外の領域を空き領域として検出する空き領域検出部と、異なるサイズの複数の画像を記憶する背景画像記憶部と、背景画像記憶部に記憶された複数の画像から画像を選択する背景画像選択部と、背景画像選択部が選択した画像を空き領域検出部が検出した空き領域に挿入する背景画像挿入部と、を備え、背景画像選択部は、空き領域検出部が検出した空き領域のサイズに最も近いサイズの画像を第２の画像として選択し、前記背景画像挿入部は、前記背景画像選択部が選択した第２の画像を前記空き領域検出部が検出した空き領域に挿入することを特徴とする。
【発明の効果】
【０００７】
以上説明したように、本局面によれば、背景画像選択部は、背景画像記憶部に記憶された複数の画像のうち空き領域検出部が検出した空き領域のサイズに最も近いサイズの画像を第２の画像として選択し、背景画像挿入部は、背景画像選択部が選択した第２の画像を空き領域検出部が検出した空き領域に挿入する。これによって、ユーザに与える違和感を軽減し、空き領域に適切なサイズの画像を表示する画像表示装置を提供することができる。
【発明を実施するための最良の形態】
【０００８】
以下、本発明の第１の実施形態の画像表示装置１００について、図面を用いて説明する。
【０００９】
図１は本発明の第１の実施形態の画像表示装置１００の構成を示すブロック図である。図１において、画像表示装置１００は、画像処理部１、チューナ２、画像表示サイズ設定部３、背景画像記憶部４、および、画像表示部５を備える。
【００１０】
画像処理部１は、例えば、ＬＳＩである。画像処理部１には、チューナ２、画像表示サイズ設定部３、背景画像記憶部４、および、画像表示部５がそれぞれ接続される。画像処理部１には、チューナ２からＴＶ映像やアニメーション等の動画像や、キャラクタや風景画等の静止画像が入力される。
【００１１】
画像表示サイズ設定部３は、例えば、リモコンである。画像表示サイズ設定部３は、ユーザの操作に対応して、画像処理部１に画面モードを通知する。第１の実施形態では、画面モードとして、ノーマルモード、ワイドモード、フルモードの３種類の画面モードが例示される。
【００１２】
背景画像記憶部４は、例えば、ＨＤＤ、ＤＶＤの少なくとも一つの記憶媒体である。背景画像記憶部４には、複数のサイズの背景画像が記憶される。また、背景画像記憶部４には、ＴＶ映像やアニメーション等の動画像や、キャラクタや風景画等の静止画像が背景画像として記憶される。例えば、横４００ピクセル×縦４８０ピクセルのキャラクタ画像と横２００ピクセル×縦４８０ピクセルの風景画像とが記憶される。背景画像記憶部４に記憶された背景画像は、画像処理部１からの要求によって読み出される。
【００１３】
画像表示部５は、液晶ディスプレイである。画像表示部５は、画像処理部１から出力された画像を表示する。第１の実施形態では、画像表示部５のサイズとして、横１６００ピクセル×縦４８０ピクセルが例示される。
【００１４】
図２から図４はそれぞれノーマルモード、ワイドモード、フルモードにおける画像表示領域を示す説明図である。図２に示すノーマルモードは、入力された画像を横８００ピクセル×縦４８０ピクセルのサイズである第１の画像に変換して画像表示部５の画像表示領域２１に表示するモードである。図３に示すワイドモードは、入力された画像を横１２００ピクセル×縦４８０ピクセルのサイズである第１の画像に変換して画像表示部５の画像表示領域３１に表示するモードである。図４に示すフルモードは、入力された画像を横１６００ピクセル×縦４８０ピクセルのサイズである第１の画像に変換して画像表示部５の画像表示領域４１に表示するモードである。フルモードによる画像表示領域４１のサイズは、画像表示部５のサイズと同じである。背景画像は、図２の画像表示領域２１以外の領域２２や図３の画像表示領域３１以外の領域３２に表示される。本実施形態では、空き領域は、画像表示領域以外の領域を意味する。
【００１５】
図５は画像処理部１の構成を示すブロック図である。図５において、画像処理部１は、画像入力回路６、バッファメモリ７、画像サイズ変換回路８、空き領域検出回路９、背景画像選択回路１０、および、背景画像挿入回路１１を備える。
【００１６】
画像入力回路６は、チューナ２、および、バッファメモリ７と接続する。画像入力回路６は、チューナ２から入力されたＴＶやＤＶＤなどの画像を所定のフォーマット（例えば、ＲＧＢ信号）に変換する。画像入力回路６で変換される画像は、アナログ信号（例えば、ＮＴＳＣフォーマット）でも、デジタル信号（例えば、デジタル７２０ｐ信号）でもよい。また、画像入力回路６は、図６に示されるように、タイミング信号として、垂直同期信号ＶＳ１、水平同期信号ＨＳ１、データイネーブル信号ＤＥ１を生成する。さらに、画像入力回路６は、図示されないピクセルクロックＣＬ１を生成する。
【００１７】
図６は画像入力回路６で生成するタイミング信号を示す説明図である。垂直同期信号ＶＳ１は、フレームを走査するタイミングの先頭位置を示す信号であり、１フレームに一度ずつ電圧がＬレベルとなる。水平同期信号ＨＳ１は、ラインを走査するタイミングの先頭位置を示す信号であり、１ラインに一度ずつ電圧がＬレベルとなる。画像入力回路６は、チューナ２から入力された画像を、垂直同期信号ＶＳ１がＬレベルになるタイミングで１フレームと判別し、水平同期信号ＨＳ１がＬレベルになるタイミングで１ラインと判別する。データイネーブル信号ＤＥ１は、データ信号の位置を示す信号であり、データ信号の位置に対応して電圧がＨレベルとなる。データイネーブル信号ＤＥ１は、画像表示部５の横方向の１ラインのサイズである１６００ピクセルの区間Ｈレベルとなる。この区間の画像のデータは、画像表示部５において表示される画像のデータである。
【００１８】
バッファメモリ７は、例えばフレームメモリである。バッファメモリ７の領域（ａ）には、データイネーブル信号ＤＥ１がＨレベルとなっている区間のデータが書き込まれる。バッファメモリ７の領域（ａ）には、画像入力回路６から入力される画像がピクセルクロックＣＬ１のタイミングで書き込まれる。
【００１９】
画像サイズ変換回路８は、画像表示サイズ設定部３、画像入力回路６、および、バッファメモリ７と接続する。画像サイズ変換回路８は、画像入力回路６に入力された画像を、バッファメモリ７の領域（ａ）から読み出して、画像表示サイズ設定部３から通知された画面モードの表示サイズに変換する。画像サイズ変換回路８は、バイリニアアルゴリズムやバイキュービックアルゴリズム等の公知の手法によって画像を拡大、または、縮小する。画像サイズ変換回路８は、バッファメモリ７の領域（ａ）から読み出した画像に合わせて、図７に示されるように、水平同期信号ＨＳ２、垂直同期信号ＶＳ２、データイネーブル信号ＤＥ２を生成する。さらに、画像サイズ変換回路８は、図示されないピクセルクロックＣＬ２を生成する。また、画像表示領域の横方向の区間を示す信号として、画像イネーブル信号ＩＥを生成する。本実施形態では、各画面モードの画像表示領域における縦方向の１ラインのサイズは、画像表示部５の縦方向の１ラインのサイズである４８０ピクセルと同じに設定されているため既知である。したがって、画像イネーブル信号ＩＥにより画像表示領域の横方向の区間のサイズが分かれば、画像表示領域が分かる。
【００２０】
図７は画像表示サイズ設定部３から通知された画面モードがノーマルモードの場合に、画像サイズ変換回路８が生成する各タイミング信号を示す説明図である。垂直同期信号ＶＳ２は、フレームを走査するタイミングの先頭位置を示す信号であり、１フレームに一度ずつ電圧がＬレベルとなる。水平同期信号ＨＳ２は、ラインを走査するタイミングの先頭位置を示す信号であり、１ラインに一度ずつ電圧がＬレベルとなる。データイネーブル信号ＤＥ２は、画像表示部５の横方向の１ラインのサイズである１６００ピクセルの区間Ｈレベルとなる。また、画像イネーブル信号ＩＥは、ノーマルモードの画像表示領域の横方向を示す８００ピクセルの区間Ｈレベルとなる。
【００２１】
空き領域検出回路９は、バッファメモリ７と接続する。空き領域検出回路９は、画像表示部５に表示される画像表示領域以外の領域を空き領域として検出する。空き領域は、データイネーブル信号ＤＥ２がＨレベルであり、かつ、画像イネーブル信号ＩＥがＬレベルである区間を横方向のサイズとし、画像表示部５の縦方向のサイズである既知の４８０ピクセルの区間を縦方向のサイズとする領域である。空き領域検出回路９は、空き領域の横方向の位置においてＨレベルとなる空き領域指定信号ＢＬを生成する。例えば、空き領域検出回路９は、データイネーブル信号ＤＥ２がＨレベルであり、かつ、画像イネーブル信号ＩＥがＬレベルである区間を検出開始位置から４００ピクセルと検出したとき、空き領域が横４００ピクセル×縦４８０ピクセルのサイズを有することを検出する。そして、空き領域検出回路９は、検出開始位置から４００ピクセルの間、Ｈレベルである空き領域指定信号ＢＬを生成する。
【００２２】
背景画像選択回路１０は、背景画像記憶部４、および、空き領域検出回路９と接続する。背景画像選択回路１０は、空き領域検出回路９が検出した空き領域のサイズに最も近い背景画像を第２の画像として背景画像記憶部４から選択する。
【００２３】
背景画像挿入回路１１は、背景画像記憶部４、バッファメモリ７、空き領域検出回路９、および、背景画像選択回路１０と接続する。背景画像挿入回路１１は、背景画像選択回路１０で選択された第２の画像を空き領域に挿入する。空き領域の縦方向の１ラインのサイズは、画像表示部５の縦方向の１ラインのサイズである４８０ピクセルと同じに設定されているため既知である。したがって、空き領域の横方向の位置が空き領域検出回路９によって検出されれば、背景画像挿入回路１１は、背景画像選択回路１０で選択された第２の画像を空き領域に挿入することができる。第２の画像を挿入する領域のうち横方向の位置は、空き領域指定信号ＢＬがＨレベルになっている位置である。
【００２４】
次に、上記のような構成の画像表示装置１００の動作について説明する。まず、図８のフローチャートを説明する図を参照して全体的な動作について説明する。
【００２５】
ユーザが画像表示サイズ設定部３を操作して画面モードを変更すると、画像表示サイズ設定部３は、画面モードが変更されたことを画像サイズ変換回路８に通知する（ステップＳ１）。画像表示サイズ設定部３から画面モードが通知されると、画像サイズ変換回路８は、入力された画像のサイズを画面モードのサイズに変換する処理を行う（ステップＳ２）。次に、空き領域検出回路９は、画面モードのサイズに変換された画像に基づいて空き領域を検出する処理を行う（ステップＳ３）。次に、背景画像選択回路１０は、空き領域検出回路９が検出した空き領域のサイズに最も近いサイズの背景画像を第２の画像として背景画像記憶部４から選択する処理を行う（ステップＳ４）。次に、背景画像挿入回路１１は、空き領域に背景画像記憶部４が選択した第２の画像を挿入する処理を行う（ステップＳ５）。そして、画像表示部５は、空き領域に第２の画像が挿入された画像信号を表示する（ステップＳ６）。
【００２６】
次に、図９から図１２のフローチャートを説明する図を参照してステップＳ２からステップＳ５までの各処理について説明する。
【００２７】
まず、図９のフローチャートを説明する図を参照にしてステップＳ２の画像サイズ変更処理について説明する。
【００２８】
画像サイズ変換回路８は、バッファメモリ７の領域（ａ）に書き込まれた画像を画像表示部５の表示タイミングに対応したピクセルクロックＣＬ２のタイミングで読み出す（ステップＳ２１）。ピクセルクロックＣＬ２は、ピクセルクロックＣＬ１を逓倍、もしくは分周したクロックでも良いし、水晶発振器等によって生成したクロックであってもよい。画像サイズ変換回路８は、バッファメモリ７の領域（ａ）から読み出した画像を画面モードに応じて所定の表示サイズに変換する（ステップＳ２２）。画像サイズ変換回路８は、所定の表示サイズに変換した画像をバッファメモリ７の領域（ｂ）に書き込みステップＳ３に進む（ステップＳ２３）。
【００２９】
例えば、バッファメモリ７の領域（ａ）に書き込まれた画像のサイズが横８００ピクセル×縦４８０ピクセルであり、画像表示サイズ設定部３から画像サイズ変換回路８に通知された画面モードがフルモードである場合、画像サイズ変換回路８は、画像信号を横方向に２倍に拡大した横１６００ピクセル×縦４８０ピクセルとしてバッファメモリ７の領域（ｂ）に書き込む。
【００３０】
次に、図１０のフローチャートを説明する図を参照にしてステップＳ３の空き領域検出処理について説明する。
【００３１】
空き領域検出回路９は、バッファメモリ７の領域（ｂ）から画像サイズ変換回路８が変換した画像を読み出す（ステップＳ３１）。空き領域検出回路９は、データイネーブル信号ＤＥ２と画像イネーブル信号ＩＥの排他的論理和をとり、空き領域指定信号ＢＬを生成する（ステップＳ３２）。空き領域検出回路９は、空き領域指定信号ＢＬがＨレベルになる領域を空き領域と判定する（ステップＳ３３）。空き領域検出回路９は、空き領域と判定された領域のサイズを取得する（ステップＳ３４）。空き領域検出回路９は、空き領域のサイズが所定のサイズ以上であるか否かを判定する（ステップＳ３５）。空き領域のサイズが所定のサイズ以上である場合（ステップＳ３５でＹＥＳ）、ステップＳ４に進む。一方、空き領域のサイズが所定のサイズ以上でない場合（ステップＳ３５でＮＯ）、空き領域検出回路９は、画像サイズ変換回路８が変換した画像をそのままバッファメモリ７の領域（ｃ）に書き込み（ステップＳ３６）、ステップＳ６に進む。
【００３２】
例えば、画面モードがノーマルモードにおいては、左右に横４００ピクセル×縦４８０ピクセルの空き領域が存在する。また、例えば、ワイドモードにおいては、左右に横２００ピクセル×縦４８０ピクセルの空き領域が存在する。また、例えば、フルモードにおいては、空き領域は存在しない。ステップＳ３５における所定のサイズは、フルモードの場合の空き領域より大きくなる程度のサイズに設定される。例えば、ステップＳ３５における所定のサイズは、横５０ピクセル×縦４８０ピクセルに設定される。
【００３３】
次に、図１１のフローチャートを説明する図を参照にしてステップＳ４の背景画像選択処理について説明する。
【００３４】
背景画像選択回路１０は、背景画像記憶部４から各背景画像のサイズを読み出す（ステップＳ４１）。背景画像選択回路１０は、読み出した各背景画像のサイズと空き領域のサイズとを比較する（ステップＳ４２）。背景画像選択回路１０は、空き領域のサイズと一致する背景画像があるか否か判定する（ステップＳ４３）。空き領域のサイズと一致する背景画像がある場合（ステップＳ４３でＹＥＳ）、背景画像選択回路１０は、空き領域のサイズと一致する背景画像を第２の画像として背景画像記憶部４から選択してステップＳ５に進む（ステップＳ４４）。一方、空き領域のサイズと一致するサイズの背景画像がない場合（ステップＳ４３でＮＯ）、背景画像選択回路１０は、各背景画像について、空き領域のサイズに対して所定の範囲内のサイズの背景画像であるか否かを判定する（ステップＳ４５）。本実施形態では、空き領域のサイズに対する所定の範囲内のサイズを、例えば空き領域のサイズの８０％〜１２０％のサイズで例示する。背景画像選択回路１０は、空き領域のサイズに近いサイズの背景画像のうち、空き領域のサイズに最も近い背景画像を第２の画像として選択してステップＳ５に進む（ステップＳ４６）。
【００３５】
ステップＳ４の背景画像選択処理によって、例えば、ノーマルモードの際には、空き領域のサイズである横４００ピクセル×縦４８０ピクセルのサイズの背景画像が第２の画像として背景画像記憶部４から選択される。ワイドモードの際には、空き領域のサイズである横２００ピクセル×縦４８０ピクセルのサイズの背景画像が第２の画像として背景画像記憶部４から選択される。
【００３６】
なお、背景画像のサイズによって、背景画像をノーマルモード用の背景画像とワイドモード用の背景画像にカテゴリ分けして、画面モードごとにそれぞれにカテゴリ分けされた背景画像の中から第２の画像を選択するようにしてもかまわない。カテゴリ分けの方法としては、例えば、背景画像の横方向のサイズによって、横方向のサイズが３００ピクセルより小さい背景画像はノーマルモード用、３００ピクセル以上の背景画像はワイドモード用にカテゴリ分けする。なお、フルモードの際には空き領域が存在しないため、ユーザが画像表示サイズ設定部３を操作して画面モードをフルモードに設定した場合には、空き領域に挿入するための第２の画像は背景画像記憶部４から選択されない。
【００３７】
次に図１２のフローチャートを説明する図を参照にしてステップＳ５の背景画像挿入処理について説明する。
【００３８】
背景画像挿入回路１１は、バッファメモリ７の領域（ｂ）から所定の表示サイズに変換された画像を読み出す（ステップＳ５１）。背景画像挿入回路１１は、空き領域検出回路９が検出した空き領域のデータを取得する（ステップＳ５２）。背景画像挿入回路１１は、背景画像選択回路１０から選択された第２の画像のデータを取得する（ステップＳ５３）。背景画像挿入回路１１は、背景画像記憶部４から第２の画像を読み出す（ステップＳ５４）。背景画像挿入回路１１は、変換された画像における空き領域に、第２の画像のデータを加算する（ステップＳ５５）。背景画像挿入回路１１は、空き領域に第２の画像が挿入された画像をバッファメモリ７の領域（ｃ）に書き込みステップＳ６に進む（ステップＳ５６）。なお、第２の画像は、そのままのサイズで空き領域に挿入されてもかまわないし、空き領域のサイズに収まるように拡大、もしくは、縮小されてもかまわない。
【００３９】
ステップＳ６において、画像表示部５は、バッファメモリ７の領域（ｃ）に書き込まれた画像を読み出して画面に表示する。
【００４０】
図１３および図１４は画像表示部５に表示される背景画像の説明図である。
【００４１】
図１３は画面モードがノーマルモードの場合の画像表示部５を示す。画像表示部５の画像表示領域１３１には、横８００ピクセル×縦４８０ピクセルのサイズの第１の画像が表示される。また、画像表示部５の左右の空き領域１３２、１３３には、空き領域１３２、１３３のサイズに合わせた横４００ピクセル×縦４８０ピクセルのサイズ、または、これに近いサイズの第２の画像がそれぞれ表示される。
【００４２】
図１４は画面モードがワイドモードの場合の画像表示部５を示す。画像表示部５の画像表示領域１４１には、横１２００ピクセル×縦４８０ピクセルのサイズの第１の画像が表示される。また、画像表示部５の左右の空き領域１４２、１４３には、空き領域１４２、１４３のサイズに合わせた横２００ピクセル×縦４８０ピクセルのサイズ、または、これに近いサイズの第２の画像がそれぞれ表示される。
【００４３】
このように、複数のアスペクト比で画像を表示する機能を備えた画像表示装置においても、空き領域のサイズに合わせて適切なサイズの画像が選択されるため、空き領域に表示される画像に対してユーザが感じる違和感を軽減することができるという効果が得られる。
【００４４】
なお、図１３では、左右の空き領域１３２、１３３について同じ第２の画像を表示する例を示しているが、左右に別々の第２の画像を表示するようにしてもかまわない。また、図１３の画像表示領域１３１がそれぞれ画像表示部５の中心から左右いずれかにずれている場合には左右の空き領域１３２、１３３のサイズがそれぞれ異なるが、その場合には左右それぞれの空き領域１３２、１３３のサイズに合わせて空き領域１３２、１３３に表示する第２の画像をそれぞれ選択するようにすればよい。また、空き領域が左、または、右のいずれか一方にある場合にも、同様に空き領域のサイズに合わせて第２の画像を選択するようにすればよい。図１４についても同様である。
【００４５】
なお、本実施形態の背景画像は、ユーザが任意のサイズで保存した画像であってもよい。
【００４６】
また、画像処理部１が１つのバッファメモリ７を備える構成に代えて、画像処理部１が複数のバッファメモリを備える構成としてもよい。
【００４７】
また、画像処理部１は、ＬＳＩに代えて、ＲＡＭ、ＲＯＭ等を備えるＣＰＵであってもよい。
【００４８】
なお、空き領域検出回路９が空き領域指定信号ＢＬに基づいて空き領域のサイズを取得することに代えて、背景画像選択回路１０が各画面モードに対応する空き領域のサイズを予め保持し、画像表示サイズ設定部３が画面モードを背景画像選択部９に通知したとき、背景画像選択部９が通知された画面モードに対応する空き領域のサイズに設定してもよい。
【００４９】
なお、以上の説明で、空き領域検出回路９は、画像表示部５に表示される第１の画像の領域以外の領域を空き領域として検出した。しかし、これに限らず、以下に説明する変形例のように空き領域を検出してもよい。
【００５０】
本変形例において、空き領域検出回路９は、サイズ変換された第１の画像による画像表示領域以外の領域と画像表示領域内のピラーボックス領域とを加えた領域を空き領域として検出する。本変形例において、その他の構成や動作フローは第１の実施形態と同様であり、空き領域検出回路９において、ピラーボックス領域も空き領域として検出する処理が第１の実施形態と異なる。「ピラーボックス領域」とは、画像の表示画面サイズにおいて、他の画面サイズ規格との表示互換性をとるために画像部分の左右に挿入される黒帯領域を意味する。
【００５１】
本変形例における空き領域検出回路９は、第１の実施形態と同様にして、画像表示部５に表示される画像表示領域以外の領域を検出するとともに、ピラーボックス領域の検出を行う。
【００５２】
図１５は画像表示領域１５１の左端領域１５２、および、右端領域１５３を示す説明図である。ピラーボックス領域の検出は以下のように行う。空き領域検出回路９は、画像表示領域１５１の左端領域１５２、および、右端領域１５３における画像データの輝度情報がゼロであるかどうかを判定する。空き領域検出回路９は、所定時間の間、画像表示領域１５１の左端領域１５２、および、右端領域１５３における画像データの輝度情報がゼロであるかどうかを判定し、所定時間以上継続して輝度情報がゼロであった場合に左端領域１５２と右端領域１５３とをそれぞれピラーボックス領域であると判定してもよい。これによって、誤検出を避けることができる。
【００５３】
空き領域検出回路９は、横４００ピクセル×縦４８０ピクセルの左の画像表示領域以外の領域１５４と、横１００ピクセル×縦４８０ピクセルの左のピラーボックス領域１５２とを合成して、横５００ピクセル×縦４８０ピクセルの１つの空き領域を検出する。同様に、空き領域検出回路９は、横４００ピクセル×縦４８０ピクセルの右の画像表示領域以外の領域１５５と、横１００ピクセル×縦４８０ピクセルの右のピラーボックス領域１５３とを合成して、横５００ピクセル×縦４８０ピクセルの１つの空き領域を検出する。
【００５４】
また、背景画像選択回路１０は、空き領域検出回路９が検出した空き領域のサイズに合わせて、空き領域に表示するための背景画像を第２の画像として背景画像記憶部４から選択する。
【００５５】
このように、空き領域検出回路９が、ピラーボックス領域も空き領域として検出することにより、適切なサイズの背景画像を第２の画像として挿入することができ、画像表示部５のうち第１の画像が表示されない領域を有効に活用することができる。
【産業上の利用可能性】
【００５６】
本発明の画像表示装置は、複数のアスペクト比で画像を表示する機能を備え、空き領域に適切な画像を挿入するディスプレイ、および、このディスプレイに用いられる信号処理装置として有用である。
【図面の簡単な説明】
【００５７】
【図１】本発明の画像表示装置の構成を示すブロック図
【図２】ノーマルモードにおける画像表示領域の説明図
【図３】ワイドモードにおける画像表示領域の説明図
【図４】フルモードにおける画像表示領域の説明図
【図５】本発明の画像処理部の構成を示すブロック図
【図６】画像入力回路が生成するタイミング信号を示した図
【図７】画像サイズ変換回路が生成する各タイミング信号の説明図
【図８】本発明の画像表示装置の動作を示すフローチャートを説明する図
【図９】画像サイズ変更処理のフローチャートを説明する図
【図１０】空き領域検出処理のフローチャートを説明する図
【図１１】背景画像選択処理のフローチャートを説明する図
【図１２】背景画像挿入処理のフローチャートを説明する図
【図１３】ノーマルモードにおける画像表示部に表示される背景画像の説明図
【図１４】ワイドモードにおける画像表示部に表示される背景画像の説明図
【図１５】画像表示領域の左端領域、および、右端領域を示した図
【符号の説明】
【００５８】
１    画像処理部
２    チューナ
３    画像表示サイズ設定部
４    背景画像記憶部
５    画像表示部
６    画像入力回路
７    バッファメモリ
８    画像サイズ変換回路
９    空き領域検出回路
１０    背景画像選択回路
１１    背景画像挿入回路
【図１】
2009100264.tif 000003
【図２】
2009100264.tif 000004
【図３】
2009100264.tif 000005
【図４】
2009100264.tif 000006
【図５】
2009100264.tif 000007
【図６】
2009100264.tif 000008
【図７】
2009100264.tif 000009
【図８】
2009100264.tif 000010
【図９】
2009100264.tif 000011
【図１０】
2009100264.tif 000012
【図１１】
2009100264.tif 000013
【図１２】
2009100264.tif 000014
【図１３】
2009100264.tif 000015
【図１４】
2009100264.tif 000016
【図１５】
2009100264.tif 000017